(57)【要約】【課題】二次電池の保存中の自己放電を計算することにより正確な残量を検出することができる、かつ安価な二次電池パックおよび電子機器を提供することを目的とする。【解決手段】二次電池１０３と、二次電池１０３の残量を記憶する電池残量記憶部１０６を備えた電池パック１０２に、電源供給とクロックパルスとが常時与えられるカウンタ１０５を備え、カウンタ１０５から読み出された値を基に、電池パック１０２が装着される携帯機器本体１０１に内蔵されるＣＰＵ１０９により、電池パック１０２の保存期間から残量を算出する。【選択図】  図１
2004288512.tif 000002
【特許請求の範囲】
【請求項１】
二次電池と、前記二次電池の残量を記憶する電池残量記憶部と、カウンタと、前記カウンタに電源供給とクロックパルスとを与えるクロック発生器とを備えた事を特徴とした二次電池パック。
【請求項２】
二次電池パックを着脱可能な電子機器において、二次電池パック装着時に前記二次電池パックに内蔵されたカウンタのカウント値を読み出すとともに、前記カウンタを停止、始動および前記カウント値をクリアする制御部とを備えた事を特徴とした電子機器。
【請求項３】
制御部は、二次電池の電池残量記憶部に記憶された残量と、カウンタのカウント値から、前記二次電池の残量を算出する事を特徴とした請求項２記載の電子機器。
【請求項４】
二次電池の使用時に、自己放電の放電率と保存期間の積を取ることにより、前記保存期間中の自己放電による電気量を得、記憶された電池残量から前記電気量を減じる事を特徴とした二次電池パックの残量計測方法。
【発明の詳細な説明】
【０００１】
【発明の属する技術分野】
本発明は電子機器に着脱可能に装着される二次電池パック、および電子機器、および二次電池パックの残量計測方法に関するものである。
【０００２】
【従来の技術】
従来より、携帯用情報処理装置などの電子機器には、充電して持ち運びのできる二次電池パックが装着されるとともに、二次電池パックの電池残量の記憶手段を有していた（例えば特許文献１参照）。
【０００３】
図２は特許文献１に記載された、従来の電子機器である携帯機器本体および電池パックを示すブロック図、図３は他の電子機器である携帯機器本体および電池パックを示すブロック図である。
【０００４】
図２において、２０１は携帯機器本体であり、２０２は内部に二次電池２０３とカウンタ２０４を持つ電池パックである。
【０００５】
電池パック２０２が携帯機器本体２０１に装着されると、携帯機器本体２０１のＣＰＵ２０５もしくは充電器２０６のＣＰＵ２０７からクロックパルスＣＰが供給される。また、ＣＰＵ２０５もしくはＣＰＵ２０７は充電動作もしくは放電動作それぞれの場合に応じ、ＵＰ／ＤＮ信号によりカウントアップかカウントダウンをカウンタ２０４に指示する。カウンタ２０４はカウンタパルスＣＰとＵＰ／ＤＮ信号により、内部のカウンタ値を増減し、二次電池２０３の残量に応じたカウント値を記憶し、持つ。ＣＰＵ２０５もしくはＣＰＵ２０７はカウンタ２０４に記憶されたカウント値を読み出すことにより、その時の二次電池２０３の残量を算出することができる。
【０００６】
図３は他の従来の携帯機器本体および電池パックを示している。
【０００７】
図３において、電池パック３０１は、電流を微小抵抗を介して検出する電流検出器３０２と、電流検出器３０２により検出された電流をディジタル値に変換するＡ／Ｄ変換機３０３と、Ａ／Ｄ変換機３０３により変換されたディジタル値により二次電池３０４の消費電力を算出し前の残量から加減することにより二次電池３０４の残量を算出するＣＰＵ３０５とを備えている。
【０００８】
【特許文献１】
特開平３−１６３７６６号公報（第１図、第４図）
【０００９】
【発明が解決しようとする課題】
しかしながら、上記図２に示す従来の電子機器および電池パックでは、携帯機器本体２０１に電池パック２０２が装着された時にのみ、残量が記憶されたカウンタ２０４にクロックパルスＣＰが供給されカウント動作をするため、電池パック２０２が携帯機器本体２０１から外されて長期保存されている時の自己放電による残量の減少を検出することができず、実際の残量と残量記憶手段２０８に記憶されている残量値に不一致が生じ、正しい残量の検出ができない、もしくは何らかの補正手段が必要となるなど精度が落ちると言う問題点がある。
【００１０】
また、上記図３に示す電子機器および電池パックでは、この問題を解決できるが、電池パック３０１内に残量を検出するためのＣＰＵ３０５を必要とするため、電池パックが高価になるという問題がある。
【００１１】
本発明は上記従来の問題を解決するものであり、二次電池の保存中の自己放電を計算することにより正確な残量を検出することができ、かつ安価な二次電池パックおよび電子機器を提供することを目的とする。
【００１２】
【課題を解決するための手段】
この課題を解決するために本発明は、二次電池と、二次電池の残量を記憶する電池残量記憶部を備えた電池パックに、電源供給とクロックパルスとが常時与えられるカウンタを備え、このカウンタから読み出された値を基に、電池パックが装着される電子機器により、電池パックの保存期間から残量を算出するように構成したものである。
【００１３】
これにより、電池パックを電子機器に装着した使用時に、自己放電の放電率と、保存期間の積を取ることにより、保存期間中の自己放電による電気量が得られ、この電気量を残量記憶部に記憶されている値より減じることにより電池パックの正確な残量を得ることができる。
【００１４】
【発明の実施の形態】
本発明の請求項１に記載の発明は、二次電池と、前記二次電池の残量を記憶する電池残量記憶部と、カウンタと、前記カウンタに電源供給とクロックパルスとを与えるクロック発生器とを備えた二次電池パックであり、二次電池の保存前の残量と保存期間を得るという作用を有する。
【００１５】
請求項２に記載の発明は、二次電池パックを着脱可能な電子機器において、二次電池パック装着時に前記二次電池パックに内蔵されたカウンタのカウント値を読み出すとともに、前記カウンタを停止、始動および前記カウント値をクリアする制御部とを備えた事を特徴とした電子機器であり、二次電池パックを電子機器に装着することにより、二次電池の保存期間を正確に得られるという作用を有する。
【００１６】
請求項３に記載の発明は、請求項２記載の電子機器において、制御部は、二次電池の電池残量記憶部に記憶された残量と、カウンタのカウント値から、前記二次電池の残量を算出する事を特徴としたものであり、二次電池の保存期間と記憶された電池残量値から二次電池の正確な残量を得るという作用を有する。
【００１７】
請求項４に記載の発明は、二次電池の使用時に、自己放電の放電率と保存期間の積を取ることにより、前記保存期間中の自己放電による電気量を得、記憶された電池残量から前記電気量を減じる事を特徴とした二次電池パックの残量計測方法であり、二次電池の保存期間と記憶された電池残量値から二次電池の正確な残量を得るという作用を有する。
【００１８】
以下、本発明の実施の形態について、図１を用いて説明する。
【００１９】
（実施の形態１）
図１は本発明の一実施の形態の電子機器および電池パックのブロック図を示すものである。図１において、１０１は電子機器である携帯機器本体、１０２は携帯機器本体１０１に着脱可能な電池パックで、電池パック１０２は携帯機器本体１０１に電源を供給する。１０３は電池パック１０２に内蔵される充電可能な二次電池、１０４は携帯機器本体１０１より停止、始動が可能なクロック発生器、１０５はクロック発生器１０４より発生するクロックパルスをカウントするカウンタ、カウンタ１０５は携帯機器本体１０１よりカウント値を読み書きすることができる。１０６は残量記憶装置で、電池の残量がＥ２ＰＲＯＭなどの不揮発性記憶装置を用いて記憶されている。１０７は電流検出器、１０８はＡ／Ｄコンバータ、１０９はＣＰＵである。
【００２０】
以上のように構成された本実施の形態について、その動作を説明する。
【００２１】
まず、保存されている電池パック１０２が携帯機器本体１０１に取り付けられたとき、ＣＰＵ１０９はクロック発生器１０４を停止させ、カウンタ１０５よりカウント値を読み出す。このカウント値に既知の自己放電率を乗じる。これにより保存中の自己放電電力値を得る。この自己放電電力値を残量記憶装置１０６に書き込んである残量値より減じる。この算出操作により得られた残量値を残量記憶装置１０６に書き込む。
【００２２】
電池パック１０２が再び携帯機器本体１０１より取り外されたとき、また、充電が終了したとき、クロック発生器１０４はクロックパルス出力をカウンタ１０５に与え、カウンタ１０５はクロックパルスのカウントを始める。
【００２３】
このようにして、携帯機器本体１０１は電池パック１０２の正しい残量値を得ることができ、携帯機器本体１０１は電池パック１０２に対し正しい充電、放電動作ができる。
【００２４】
【発明の効果】
以上のように本発明によれば、電池パックに、電源供給とクロックパルスとが常時与えられるカウンタを備え、このカウンタから読み出された値を基に、電池パックが装着される電子機器により、電池パックの保存期間から残量を算出するように構成することにより、長期保存された電池パックの残量を正確に得るという有利な効果が得られる。
【図面の簡単な説明】
【図１】本発明の一実施の形態の電子機器および電池パックのブロック図
【図２】従来の電子機器および電池パックのブロック図
【図３】従来の他の電子機器および電池パックのブロック図
【符号の説明】
１０１  携帯機器本体
１０２  電池パック
１０３  二次電池
１０４  クロック発生器
１０５  カウンタ
１０６  残量記憶装置
１０７  電流検出器
１０８  Ａ／Ｄコンバータ
１０９  ＣＰＵ
【図１】
2004288512.tif 000003
【図２】
2004288512.tif 000004
【図３】
2004288512.tif 000005